(57)【要約】【課題】排気を還流させる構造に比べて負圧状態を速やかになくすことが可能な歯科用インスツルメントを提供する。【解決手段】ヘッド部１１の内部に設けられ、歯牙治療具を装着すると共にエアの供給によって回転する回転体３０を備えた歯科用インスツルメントである。エアの供給量に応じて、回転体に対して係合・離脱可能に構成されたロック機構を備える。好ましくは、ロック機構は、回転体の軸線方向に沿って移動可能なロック部材５０と、エアの供給を停止した場合、ロック部材を回転体に係合させる方向に付勢する弾性部材５２とを有する。【選択図】図２
2017018460.tif 000002
【特許請求の範囲】
【請求項１】
ヘッド部の内部に設けられ、歯牙治療具を装着すると共にエアの供給によって回転する回転体を備えた歯科用インスツルメントであって、
前記エアの供給量に応じて、前記回転体に対して係合・離脱可能に構成されたロック機構を備えることを特徴とする歯科用インスツルメント。
【請求項２】
前記ロック機構は、前記回転体の軸線方向に沿って移動可能なロック部材と、前記エアの供給を停止した場合、前記ロック部材を前記回転体に係合させる方向に付勢する弾性部材とを有することを特徴とする請求項１に記載の歯科用インスツルメント。
【請求項３】
前記ロック部材は、前記エアが吹き付けられる、前記回転体の羽根に係合可能であることを特徴とする請求項２に記載の歯科用インスツルメント。
【発明の詳細な説明】
【技術分野】
【０００１】
本発明は、歯科用インスツルメントに関し、特に、ヘッド部の内部に設けられ、歯牙治療具を装着すると共にエアの供給によって回転する回転体を備えた歯科用インスツルメントに関する。
【背景技術】
【０００２】
う歯への治療方法は、う蝕部分の除去が一般的であり、歯科用インスツルメントによる歯牙の切削が行われている。歯科用インスツルメントには、圧縮エアによるエアータービンや、モータの回転によるマイクロエンジンを用いたものなどがある。エアータービンを用いた場合、マイクロエンジンに比べて高速回転が可能である。
【０００３】
一方、エアータービンを用いた場合、エアの供給を停止しても回転体は自身の慣性力で惰走回転する。このため、ヘッド部内の空気が排出されて負圧状態になり、外部からヘッド部内に異物を吸い込みやすくなる。また、惰走回転している間に刃物を交換する場合、手に怪我をするおそれがある。そこで、例えば、特許文献１，２には、排気をヘッド部内に還流させて負圧状態をなくす技術が開示されている。
【先行技術文献】
【特許文献】
【０００４】
【特許文献１】特許第５４３５６５５号公報
【特許文献２】特開２０１４−１２０９２号公報
【発明の概要】
【発明が解決しようとする課題】
【０００５】
しかしながら、上記特許文献１，２に記載の技術では、エアの排気路とヘッド部内とを連通する還流路を設けており、ヘッド部内が還流した排気で満たされるまでは負圧状態をなくせないという問題がある。
【０００６】
本発明は、上述のような実情に鑑みてなされたもので、排気を還流させる構造に比べて負圧状態を速やかになくすことが可能な歯科用インスツルメントを提供することを目的とする。
【課題を解決するための手段】
【０００７】
上記課題を解決するために、請求項１の発明は、ヘッド部の内部に設けられ、歯牙治療具を装着すると共にエアの供給によって回転する回転体を備えた歯科用インスツルメントであって、前記エアの供給量に応じて、前記回転体に対して係合・離脱可能に構成されたロック機構を備えることを特徴としたものである。
【０００８】
請求項２の発明は、請求項１の発明において、前記ロック機構は、前記回転体の軸線方向に沿って移動可能なロック部材と、前記エアの供給を停止した場合、前記ロック部材を前記回転体に係合させる方向に付勢する弾性部材とを有することを特徴としたものである。
【０００９】
請求項３の発明は、請求項２の発明において、前記ロック部材は、前記エアが吹き付けられる、前記回転体の羽根に係合可能であることを特徴としたものである。
【発明の効果】
【００１０】
本発明によれば、回転体のロック機構が設けられており、回転体に対して係合することにより回転体が停止するので、排気を還流させる構造に比べて回転体を速やかに停止させ、負圧状態を速やかになくすことができる。
【図面の簡単な説明】
【００１１】
【図１】本発明の一実施形態に係る歯科用インスツルメントの外観図である。
【図２】図１に示したヘッド部の断面図である。
【図３】図２に示した蓋部材の分解斜視図である。
【図４】ロック機構の動作を説明する図である。
【発明を実施するための形態】
【００１２】
以下、図面を参照しながら本発明の歯科用インスツルメントについて説明する。図１は、本発明の一実施形態に係る歯科用インスツルメントの外観図である。また、図２は、図１に示したヘッド部の断面図であり、図３は、図２に示した蓋部材の分解斜視図である。
図１に示すハンドピース１０は、ヘッド部１１およびグリップ部１２からなり、グリップ部１２の後端には、エアや水などをヘッド部１１に向けて供給可能なインスツルメントコード１３が設置されている。
【００１３】
グリップ部１２は、例えば湾曲して形成されており、その前端には、歯牙治療具（例えば切削バー）１４を装着可能なヘッド部１１が設けられている。
ヘッド部１１内には、例えば、フットコントローラ（図示省略）を踏み込んだ場合、エア等が供給され、フットコントローラの踏み込みを止めた場合、エア等の供給が停止される。
【００１４】
図２に示すように、ヘッド部１１は、グリップ部に連結する連結筒２０を有する。連結筒２０には、給気路２３、タービン室２２、排気路２１やライトガイド２４が形成されている。給気路２３や排気路２１はタービン室２２に開口し、ライトガイド２４は排気路２１の下方に配置され、歯牙治療具の先端付近に向けて開口している。なお、図２では歯牙治療具の記載を省略している。
【００１５】
タービン室２２には回転体３０が備えられている。回転体３０の軸線はグリップ部の前端に対して例えば直交方向に交差しており、回転体３０は、ボール軸受３３を介して連結筒２０に回転自在に支持されている。なお、ボール軸受３３と連結筒２０との間には、シール部材３５が設けられている。
【００１６】
回転体３０は、例えば真鍮製あるいはアルミニウム製の複数枚の羽根３１を有している。羽根３１は、回転体３０の径方向外側に向けて延びており、エアを受容可能に形成されている。回転体３０は、給気路２３からの圧縮エアがタービン室２２に供給され、羽根３１に吹き付けられることにより回転できる。
【００１７】
また、回転体３０は、歯牙治療具を装着可能なスリーブ３２を有する。歯牙治療具は、その根元がスリーブ開口３２ａから挿入されてスリーブ３２の内部に装着される。
なお、スリーブ３２において、スリーブ開口３２ａの反対側には、例えばプレスチャック方式のチャック３７が設けられている。スリーブ３２に装着されていた歯牙治療具は、チャック上面３７ａをスリーブ開口３２ａに向けて押すと、スリーブ３２から抜き取ることができる。
【００１８】
ヘッド部１１は、タービン室２２を覆う蓋部材４０を有している。蓋部材４０には、回転体３０の上側を受け入れ可能な中央開口部４１が形成され、回転体３０は、ボール軸受４３を介して蓋部材４０に回転自在に支持されている。なお、ボール軸受４３と蓋部材４０との間には、シール部材４５が設けられ、また、蓋部材４０と連結筒２０との間には、シール部材４６が設けられている。
【００１９】
ここで、例えば蓋部材４０にはロック機構が設けられている。詳しくは、蓋部材４０は、中央開口部４１と蓋部材４０の外周面との間に、ロック機構を収容可能な例えばカップ状の収容室４７を有している。なお、収容室４７の軸線は、例えば回転体３０の軸線と平行である。
ロック機構は、図３に示すように、例えば、ロック部材５０、ネジ５１、バネ５２で構成されている。
【００２０】
ロック部材５０は、収容室４７内を移動可能な円盤状の基部５０ａと、基部５０ａから下方に向けて延びた棒状の突出部５０ｂとからなり、図２で説明した回転体３０の軸線方向に沿って移動して回転体３０に対して係合・離脱可能に構成されている。なお、ロック部材５０は例えばステンレス製である。ネジ５１は、収容室４７の開口付近に設置され、回転体３０に向かうロック部材５０の移動を規制できる。バネ５２は、収容室４７の底に設置されており、ロック部材５０を回転体３０に係合させる方向に付勢している。なお、バネ５２が本発明の弾性部材に相当する。
【００２１】
図４は、ロック機構の動作を説明する図である。
フットコントローラの踏み込みによって、圧縮エアが図２で説明したヘッド部１１内に供給されると、タービン室２２の圧力が上昇する。これにより、タービン室２２の圧力がバネ５２の付勢力に打ち勝ち、図４（Ａ）に示すように、ロック部材５０が、回転体３０の羽根３１から離脱し、バネ５２の付勢力に抗して収容室４７内に後退する。
【００２２】
これに対し、フットコントローラの踏み込みを止めると、ヘッド部内への圧縮エアの供給が停止される。この場合、従来は、回転体は自身の慣性力で例えば１．５〜３秒程度の間、惰走回転する。このため、タービン室内の空気が排出されて数気圧までに減少した負圧状態になり、外部からヘッド部内に異物を吸い込みやすくなっていた。また、惰走回転している間は歯牙治療具も回転している。
【００２３】
しかしながら、本発明によれば、図２で説明したヘッド部１１内への圧縮エアの供給を停止すると、バネ５２の付勢力がタービン室２２の圧力に打ち勝ち、図４（Ｂ）に示すように、ロック部材５０は、基部５０ａがネジ５１で規制される位置まで移動する。これにより、突出部５０ｂの先端が例えば羽根３１と羽根３１との間に差し込まれ、回転中の羽根３１の先端付近に係合するので、回転体３０を強制的に停止させる。
【００２４】
このように、回転体のロック機構を設ければ、排気を還流させる構造に比べて回転体を速やかに停止させることで、負圧状態を速やかになくすことができる。そして、惰走回転をなくせば、例えば、負圧状態による異物の吸い込みや、歯牙治療具による意図しない口腔内の傷つけを防止できる。また、惰走時間がないため、治療時間の短縮にも貢献する。また、上述のロック部材、バネ、ネジからなるロック機構によればより簡単な構造で済む。
【００２５】
なお、上記実施例では、ロック部材が羽根の先端付近に係合する例を挙げて説明したが、ロック部材は、羽根の根元部分に係合可能であってもよい。この場合には、回転体の耐久性向上を図ることができる。
また、上記実施例では、ロック部材を羽根と羽根との間に差し込む例を挙げて説明した。しかし、ロック部材が、回転体の上面に形成した例えば溝に係合することにより、回転体のクイックストップ機能を達成させることも可能である。
【符号の説明】
【００２６】
１０…ハンドピース、１１…ヘッド部、１２…グリップ部、１３…インスツルメントコード、１４…歯牙治療具、２０…連結筒、２１…排気路、２２…タービン室、２３…給気路、２４…ライトガイド、３０…回転体、３１…羽根、３２…スリーブ、３２ａ…スリーブ開口、３３…ボール軸受、３５…シール部材、３７…チャック、３７ａ…チャック上面、４０…蓋部材、４１…中央開口部、４３…ボール軸受、４５，４６…シール部材、４７…収容室、５０…ロック部材、５０ａ…基部、５０ｂ…突出部、５１…ネジ、５２…バネ。
【図１】
2017018460.tif 000003
【図２】
2017018460.tif 000004
【図３】
2017018460.tif 000005
【図４】
2017018460.tif 000006